(57)【要約】【課題】ＩＰ網を用いた地上デジタル放送等のデジタル放送の再送信において、デジタル放送で運用される緊急警報放送システムと同等のシステムを簡易な方法で実現する。【解決手段】再送信装置１００、受信装置１１０およびＩＰ網１２０でデジタル放送再送信システムを構築する。再送信装置１００は、デジタル放送信号に含まれる緊急警報放送起動用フラグの値を判別し、判別結果に基づいて、デジタル放送を再送信する際のトランスポートストリームパケットの同期バイトの値を変更する。一方、受信装置１１０は、受信したトランスポートストリームパケットの同期バイトの値を判別し、判別結果に基づいて緊急警報放送の受信処理を行うか否かを決定する。【選択図】図１
2007267104.tif 000002
【特許請求の範囲】
【請求項１】
受信したデジタル放送波からデジタル放送信号を取り出し、ＩＰ網により再送信する再送信装置と、前記再送信されたデジタル放送信号を受信する受信装置とを備えたデジタル放送再送信システムであって、
前記再送信装置は、前記デジタル放送信号に含まれる緊急警報放送起動用フラグの値を判別し、判別結果に基づいて、前記デジタル放送信号のトランスポートストリームパケットに含まれる所望の情報を変更した後、前記デジタル放送信号を含むパケット化データをＩＰ網により再送信し、
前記受信装置は、ＩＰ網により再送信された前記パケット化データを受信すると共に、前記デジタル放送信号のトランスポートストリームパケットに含まれる所望の情報を判別し、判別結果に基づいて緊急警報放送の受信処理を行うか否かを決定する
ことを特徴とするデジタル放送再送信システム。
【請求項２】
前記再送信装置は、前記デジタル放送信号のトランスポートストリームパケットに含まれる同期バイトの値を変更することを特徴とする請求項１に記載のデジタル放送再送信システム。
【請求項３】
前記再送信装置は、前記デジタル放送信号のトランスポートストリームパケットに含まれるＰＩＤ（Packet ID）の値を変更することを特徴とする請求項１に記載のデジタル放送再送信システム。
【請求項４】
前記再送信装置は、前記デジタル放送信号のトランスポートストリームパケットに含まれるアダプテーションフィールドのフィールドレングスの値を変更することを特徴とする請求項１に記載のデジタル放送再送信システム。
【請求項５】
前記受信装置は、更にデジタル放送信号からＰＭＴ（Program Map Table）を抽出し、前記ＰＭＴに記載される緊急警報記述子の有無および内容を判別し、判別結果を緊急警報放送の受信処理を行うか否かの決定に反映させることを特徴とする請求項１〜４のいずれかに記載のデジタル放送再送信システム。
【請求項６】
前記再送信装置は、更にデジタル放送信号からＰＭＴ（Program Map Table）を抽出し、前記ＰＭＴに記載される緊急警報記述子の有無および内容を判別し、判別結果を前記所望の情報の変更に反映させることを特徴とする請求項１〜４のいずれかに記載のデジタル放送再送信システム。
【請求項７】
受信したデジタル放送波からデジタル放送信号を取り出し、ＩＰ網により再送信する再送信装置であって、
デジタル放送波を受信してデジタル放送信号を復調する受信手段と、
前記復調したデジタル放送信号に含まれる緊急警報放送起動用フラグの値を判別し、判別結果に基づいて緊急警報放送が行われていることを示す検出信号を出力する検出信号出力手段と、
前記検出信号に応じて、前記デジタル放送信号のトランスポートストリームパケットに含まれる所望の情報を変更する情報変更手段と、
前記デジタル放送信号を含むパケット化データを作成し、前記ＩＰ網に送信する送信手段とを備えたことを特徴とする再送信装置。
【請求項８】
前記検出信号出力手段が、緊急警報放送が行われていることを示す検出信号を出力した場合、前記情報変更手段は、前記デジタル放送信号のトランスポートストリームパケットに含まれる同期バイトの値を変更することを特徴とする請求項７に記載の再送信装置。
【請求項９】
前記検出信号出力手段が、緊急警報放送が行われていることを示す検出信号を出力した場合、前記情報変更手段は、前記デジタル放送信号のトランスポートストリームパケットに含まれるＰＩＤ（Packet ID）の値を変更することを特徴とする請求項７に記載の再送信装置。
【請求項１０】
前記検出信号出力手段が、緊急警報放送が行われていることを示す検出信号を出力した場合、前記情報変更手段は、前記デジタル放送信号のトランスポートストリームパケットに含まれるアダプテーションフィールドのフィールドレングスの値を変更することを特徴とする請求項７に記載の再送信装置。
【請求項１１】
前記受信手段で復調したデジタル放送信号からＰＭＴ（Program Map Table）を抽出し、前記ＰＭＴに記載された緊急警報記述子の有無および内容を判別し、判別結果を前記検出信号出力手段に出力して前記所望の情報の変更に反映させるＰＭＴ判別手段を更に備えたことを特徴とする請求項７〜１０のいずれかに記載の再送信装置。
【請求項１２】
ＩＰ網により再送信されたデジタル放送信号を受信する受信装置であって、
再送信装置からＩＰ網により再送信された前記デジタル放送信号を含むパケット化データを受信すると共に、前記デジタル放送信号を取り出す受信手段と、
前記デジタル放送信号のトランスポートストリームパケットに含まれる所望の情報を判別する判別手段と、
前記判別手段での判別結果に応じて緊急警報放送の受信処理を行う処理手段とを備えたことを特徴とする受信装置。
【請求項１３】
前記判別手段は、前記デジタル放送信号のトランスポートストリームパケットに含まれる同期バイトの値を判別することを特徴とする請求項１２に記載の受信装置。
【請求項１４】
前記判別手段は、前記デジタル放送信号のトランスポートストリームパケットに含まれるＰＩＤ（Packet ID）の値を判別することを特徴とする請求項１２に記載の受信装置。
【請求項１５】
前記判別手段は、前記デジタル放送信号のトランスポートストリームパケットに含まれるアダプテーションフィールドのフィールドレングスの値を判別することを特徴とする請求項１２に記載の受信装置。
【請求項１６】
前記処理手段は、更に前記受信手段で受信したパケット化データから取り出されたデジタル放送信号からＰＭＴ（Program Map Table）を抽出し、前記ＰＭＴに記載される緊急警報記述子の有無および内容を判別し、判別結果を緊急警報放送の受信処理を行うか否かの決定に反映させることを特徴とする請求項１２〜１５のいずれかに記載の受信装置。
【請求項１７】
受信したデジタル放送波からデジタル放送信号を取り出し、ＩＰ網により再送信する再送信装置として機能させるためのコンピュータプログラムであって、
デジタル放送波を受信してデジタル放送信号を復調する受信手段と、
前記復調したデジタル放送信号に含まれる緊急警報放送起動用フラグの値を判別し、判別結果に基づいて緊急警報放送が行われていることを示す検出信号を出力する検出信号出力手段と、
前記検出信号に応じて、前記デジタル放送信号のトランスポートストリームパケットに含まれる所望の情報を変更する情報変更手段と、
前記デジタル放送信号を含むパケット化データを作成し、前記ＩＰ網に送信する送信手段として機能させるためのコンピュータプログラム。
【請求項１８】
ＩＰ網により再送信されたデジタル放送信号を受信する受信装置として機能させるためのコンピュータプログラムであって、
再送信装置からＩＰ網により再送信された前記デジタル放送信号を含むパケット化データを受信すると共に、前記デジタル放送信号を取り出す受信手段と、
前記デジタル放送信号のトランスポートストリームパケットに含まれる所望の情報を判別する判別手段と、
前記判別手段での判別結果に応じて緊急警報放送の受信処理を行う処理手段として機能させるためのコンピュータプログラム。
【発明の詳細な説明】
【技術分野】
【０００１】
本発明はデジタル放送の再送信システムに関し、特に、ＩＰ(Internet Protocol)ネットワーク（以下、ＩＰ網と記す）を用いて、地上デジタル放送等のデジタル放送信号を再送信する際に、緊急警報放送に関する情報の伝送を可能にするデジタル放送再送信システムに関する。
【背景技術】
【０００２】
２０００年１２月のＢＳデジタル放送の開始に続き、２００３年１２月からは地上デジタル放送も開始されている。これらのデジタル放送の運用では、緊急警報放送システムが定義されている。
【０００３】
緊急警報放送システムでは、大地震、津波などの人的被害に関係するような大災害が予想される場合に放送される緊急警報放送の開始を受信装置に知らせることで、受信装置が自動的に緊急警報放送を受信することが可能である。
【０００４】
以下、デジタル放送の緊急警報放送の運用について、ＢＳデジタル放送を例に説明する。
【０００５】
ＢＳデジタル放送では、複数の放送事業者からのＭＰＥＧ２−ＴＳ（Transport Stream）がフレームという単位で一つの信号にまとめられる。ＭＰＥＧ２−ＴＳは、トランスポートストリームパケット（以下、ＴＳパケットと略す）が連続した信号列である。図８に示す通り、ＴＳパケットは、１８８バイトで構成される。先頭の４バイトはヘッダと呼ばれる。ヘッダの先頭の１バイトは、ＴＳパケットの先頭を示す同期バイトである。ヘッダには、同期バイトのほか、ＰＩＤ（Packet ID）やパケットの性質を規定する情報などが記載されている。ヘッダに続く１８４バイトがアダプテーションフィールドおよび／またはペイロード、すなわちデータ領域である。アダプテーションフィールドは映像や音声などのデータを格納し、ペイロードはＰＳＩ（Program Specific Information）を格納する。ヘッダに記載されている情報により、アダプテーションフィールドであるかペイロードであるかを区別する。
【０００６】
図９はフレームを示す。フレームは、４８個のスロット（スロット＃１〜スロット＃４８）で構成される。スロットは、ＭＰＥＧ２−ＴＳを構成する１８８バイトのＴＳパケットにリード・ソロモン誤り訂正外符号１６バイトを付加した２０４バイトで構成される。
【０００７】
スロット＃１〜スロット＃１２の先頭の１バイト（ＴＳパケットにおける同期バイト）には、フレーム同期信号、ＴＭＣＣ（Transmission and Multiplexing Configuration Control）情報が割り当てられる。スロット＃１、スロット＃２の先頭バイトにはフレーム前同期信号が割り当てられ、スロット＃３〜スロット＃１０の先頭バイトにはＴＭＣＣ情報が割り当てられ、スロット＃１１、スロット＃１２の先頭バイトには、フレーム後同期信号が割り当てられる。スロットは、変調方式の区分と複数ＭＰＥＧ２−ＴＳの区分の最小単位であり、ＴＭＣＣ情報にスロット毎の変調方式、トランスポートストリーム番号等が記載されており、復調可能とされている。
【０００８】
フレーム信号は、スーパーフレーム周期でエネルギー拡散、インタリーブの処理を行う。図１０にスーパーフレームの構成を示す。８フレーム（フレーム＃１〜フレーム＃８）により、スーパーフレームが構成される。各フレームのスロット＃１〜スロット＃１２には、上述したようにフレーム同期信号、ＴＭＣＣ情報が付加されて、内符号誤り訂正、変調がなされる。フレーム＃７，フレーム＃８のスロット＃３〜スロット＃１０には、ＴＭＣＣパリティとして、リード・ソロモン（６４，４８）が割り当てられる。したがって、ＴＭＣＣは、８×６＝４８バイト、すなわち３８４ビットで構成される。
【０００９】
上述したように、ＴＭＣＣ情報には、スロット毎の変調方式やトランスポートストリーム番号等の情報が記載されている。受信装置は、まず、ＴＭＣＣ情報を取得して、電波の復調、受信するトランスポートストリームの選択を行う。ＢＳデジタル放送は、複数変調方式であり、トランスポートストリームを８ＰＳＫ（Phase Shift Keying）、ＱＰＳＫ（Quadrature Phase Shift Keying）等で変調するが、ＴＭＣＣ情報は重要な情報であるため、ＴＭＣＣを送る部分の変調方式には、これら８ＰＳＫ、ＱＰＳＫよりも低階層であり降雨や雑音に強いＢＰＳＫ（Binary Phase Shift Keying）が用いられる。
【００１０】
ＴＭＣＣの所定位置には、緊急警報放送の開始を知らせる緊急警報放送起動用フラグが設けられている。緊急警報放送起動用フラグは、緊急警報放送の放送を開始する際または緊急警報放送のテストの際に「１」とされ、緊急警報放送を放送またはテストしている間は「１」の状態とされる。放送受信装置では、緊急警報放送起動用フラグが「１」であること、すなわちフラグが立っていることを検出した場合に、緊急警報放送起動用フラグが検出されたとされる。緊急警報放送起動用フラグは、ＴＭＣＣの所定位置に存在するため、スーパーフレームの周期で伝送される。
【００１１】
緊急警報放送システムは、上記のＴＭＣＣの緊急警報放送起動用フラグと合わせて、ＰＭＴ（Program Map Table）の緊急警報放送記述子により実現している。放送事業者は、緊急警報放送を開始する場合、ＰＭＴの緊急放送記述子に「start_end_flag」、地震、津波等の種別、地域符号等の条件を設定して送出し、ＴＭＣＣの緊急警報放送起動用フラグを「１」として送出する。そして、緊急警報放送を開始する。緊急警報放送を終了する場合には、放送事業者は、ＴＭＣＣの緊急警報放送起動用フラグを「０」として送出し、ＰＭＴから緊急警報放送記述子を削除する。
【００１２】
以上のようにして、デジタル放送での緊急警報放送システムが実用化され運用されている。なお、地上デジタル放送では、ＢＳデジタル放送と伝送路符号化方式が異なるが、ＴＭＣＣの緊急警報放送起動用フラグ等を利用する緊急警報放送システムの仕組みについては、上述したＢＳデジタル放送の場合と同様である。
【００１３】
近年では、地上デジタル放送などのデジタル放送を、ケーブルテレビ（以下、ＣＡＴＶと略す）網へ再送信するサービスも実現されており、ＣＡＴＶ加入者もデジタル放送の提供するサービスを受信することができる。
【００１４】
例えば地上デジタル放送をＣＡＴＶ網へ再送信する場合、ＣＡＴＶでの１伝送チャネル当たりの帯域幅は、地上デジタル放送の１伝送チャネル当たりの帯域幅よりも広いため、変調方式をＣＡＴＶに適した変調方式に変換し、デジタル放送信号中の番組配列情報を一部変更するのみで、地上デジタル放送に含まれる全ての信号をそのままＣＡＴＶ網に伝送できる。よって、ＣＡＴＶ網で地上デジタル放送のすべてのサービスを伝送することは比較的容易である。
【００１５】
デジタル放送をＣＡＴＶ網へデジタル再送信するための変調方式は複数存在する。例えば非特許文献１は、トランスモジュレーション（変調変換）方式を用いた地上デジタル放送のＣＡＴＶ網への再送信方法を開示している。
【００１６】
デジタル放送を再送信する場合には、ＴＭＣＣによる緊急警報放送起動用フラグの伝送が行えないため、トランスモジュレーション方式では、緊急警報放送起動用フラグを伝送する方式として複数ＴＳ伝送方式による伝送を行っている。例えば非特許文献２は、複数ＴＳ伝送方式を用いたＴＳＭＦヘッダによる緊急警報放送起動用フラグの伝送方法を開示している。非特許文献２の複数ＴＳ伝送方式における多重フレームヘッダの構成を図１１に示す。
【００１７】
多重フレームヘッダには、ＴＳパケットの配置を示す情報や、デジタル放送の伝送多重制御情報（ＴＭＣＣ）内の情報など、必要な情報を格納する。この多重フレームを連続して出力することにより、複数ＴＳが多重された信号を得る。多重フレームに多重できるＴＳ数は最大１５である。多重フレームヘッダも先頭のバイトが０ｘ４７で１８８バイトの大きさとすることで、既存のデジタル有線テレビジョン放送方式の伝送路符号化方式を使用可能にしている。多重フレームのスロット数５３は、ＴＳパケットを静的配置にした場合にＢＳデジタル放送のトランスポートストリームを効率よく伝送できる値を選定している。
【００１８】
多重フレームに多重できるＴＳ数は、ＢＳデジタル放送の１中継器が最大８ＴＳまで多重可能なことや、他の放送ＴＳも一緒に多重することを考慮して、最大１５としている。
【００１９】
ＴＭＣＣ情報内の情報が伝送される多重フレームヘッダの構成を図１２に示す。図１２におけるemergency_indicator１２０１が緊急警報放送起動用フラグに相当し、これによりデジタル放送の再送信においても緊急警報放送起動用フラグを伝送することができるようになる。なお、ＰＭＴの緊急警報記述子の伝送については、再送信の場合にもそのまま再送信されるため考慮の必要はない。
【００２０】
以上のように非特許文献１は、地上デジタル放送などの放送サービスと同様の放送サービスをＣＡＴＶにおいても可能とする。また、非特許文献２は、デジタル放送の再送信時に、デジタル放送のＴＭＣＣ情報に記述される緊急警報放送起動用フラグの伝送を可能にする。このようにして、ＣＡＴＶにおけるデジタル放送の再送信サービスにおいて、緊急警報放送システムを実現している。
【非特許文献１】日本ケーブルラボ  「ＪＣＬSPEC-0071.0版地上デジタルテレビジョン放送トランスモジュレーション運用仕様」（日本）
【非特許文献２】社団法人日本ＣＡＴＶ技術協会  「ＪＣＴＥＡSTD-007-3.0デジタル優先テレビジョン放送  BS/広帯域CSおよび地上デジタル対応受信装置」（日本）
【発明の開示】
【発明が解決しようとする課題】
【００２１】
上述したように、ＣＡＴＶ網にデジタル放送を再送信する場合の緊急警報放送システムを実現するための障壁は低いと思われる。その一方、現在、２０１１年の地上アナログ放送の終了に備え、地上デジタル放送の電波が届かない地域などを対象にＩＰ網を利用した地上デジタル放送の再送信サービスが検討されている。ＩＰ網を用いた再送信の場合も、ＣＡＴＶ網の場合と同様、ＴＭＣＣによる緊急警報放送起動用フラグの伝送が行えない。更に、ＩＰ網を用いた再送信の場合には複数トランスポートストリーム伝送方式の適用も難しいため、ＩＰ網における緊急警報放送システムの実現が課題となっている。
【００２２】
本発明は、ＩＰ網を用いた地上デジタル放送等のデジタル放送の再送信において、デジタル放送で運用されている緊急警報放送システムと同等のシステムを簡易な方法で実現するものである。
【課題を解決するための手段】
【００２３】
本発明のデジタル放送再送信システムは、
受信したデジタル放送波からデジタル放送信号を取り出し、ＩＰ網により再送信する再送信装置と、前記再送信されたデジタル放送信号を受信する受信装置とを備えたデジタル放送再送信システムであって、
前記再送信装置は、前記デジタル放送信号に含まれる緊急警報放送起動用フラグの値を判別し、判別結果に基づいて、前記デジタル放送信号のトランスポートストリームパケットに含まれる所望の情報を変更した後、前記デジタル放送信号を含むパケット化データをＩＰ網により再送信し、
前記受信装置は、ＩＰ網により再送信された前記パケット化データを受信すると共に、前記デジタル放送信号のトランスポートストリームパケットに含まれる所望の情報を判別し、判別結果に基づいて緊急警報放送の受信処理を行うか否かを決定する
ことを特徴とする。
【００２４】
本発明のデジタル放送再送信システムにおいて、前記再送信装置は、前記デジタル放送信号のトランスポートストリームパケットに含まれる同期バイトの値を変更することが好ましい。
【００２５】
もしくは、前記再送信装置は、前記デジタル放送信号のトランスポートストリームパケットに含まれるＰＩＤ（Packet ID）の値を変更してもよい。同様に、前記再送信装置は、前記デジタル放送信号のトランスポートストリームパケットに含まれるアダプテーションフィールドのフィールドレングスの値を変更してもよい。
【００２６】
また本発明のデジタル放送再送信システムにおいて、前記受信装置は、更にデジタル放送信号からＰＭＴ（Program Map Table）を抽出し、前記ＰＭＴに記載される緊急警報記述子の有無および内容を判別し、判別結果を緊急警報放送の受信処理を行うか否かの決定に反映させることが好ましい。
【００２７】
もしくは、前記再送信装置は、更にデジタル放送信号からＰＭＴ（Program Map Table）を抽出し、前記ＰＭＴに記載される緊急警報記述子の有無および内容を判別し、判別結果を前記所望の情報の変更に反映させてもよい。
【００２８】
次に、上記システムに対応した本発明の再送信装置は、
受信したデジタル放送波からデジタル放送信号を取り出し、ＩＰ網により再送信する再送信装置であって、
デジタル放送波を受信してデジタル放送信号を復調する受信手段と、
前記復調したデジタル放送信号に含まれる緊急警報放送起動用フラグの値を判別し、判別結果に基づいて緊急警報放送が行われていることを示す検出信号を出力する検出信号出力手段と、
前記検出信号に応じて、前記デジタル放送信号のトランスポートストリームパケットに含まれる所望の情報を変更する情報変更手段と、
前記デジタル放送信号を含むパケット化データを作成し、前記ＩＰ網に送信する送信手段とを備えたことを特徴とする。
【００２９】
また、上記システムに対応した本発明の受信装置は、
ＩＰ網により再送信されたデジタル放送信号を受信する受信装置であって、
再送信装置からＩＰ網により再送信された前記デジタル放送信号を含むパケット化データを受信すると共に、前記デジタル放送信号を取り出す受信手段と、
前記デジタル放送信号のトランスポートストリームパケットに含まれる所望の情報を判別する判別手段と、
前記判別手段での判別結果に応じて緊急警報放送の受信処理を行う処理手段とを備えたことを特徴とする。
【００３０】
また本発明は、上記再送信装置や受信装置の一部もしくは全部の機能を、コンピュータを用いて実現するコンピュータプログラムを含む。
【発明の効果】
【００３１】
本発明にかかるデジタル放送再送信システムは、地上デジタル放送などのデジタル放送信号をＩＰ網を利用して再送信する場合に、デジタル放送で運用されている緊急警報放送システムと同等のシステムを簡易に実現できるという効果を有する。
【発明を実施するための最良の形態】
【００３２】
以下、本発明の実施の形態について図面を参照しながら説明する。
【００３３】
（実施の形態１）
図１は、本発明の実施の形態１におけるデジタル放送再送信システムの構成を示すブロック図である。再送信システムは、基本的に再送信装置１００、受信装置１１０およびＩＰ網１２０で構成されている。
【００３４】
図１において、再送信装置１００は、デジタル放送波を受信し、受信したデジタル放送波からデジタル放送信号を復調して取り出し、ＩＰ網等に対し再送信する。
【００３５】
再送信装置１００は、地上デジタル放送のデジタル放送波を受信し、デジタル放送信号を復調する受信部１０１と、デジタル放送のトランスポートストリームを再送信処理するＴＳ処理部１０２と、受信部１０１で受信したデジタル放送波の緊急警報放送起動用フラグのオン／オフを判定する起動フラグ判定部１０４と、起動フラグ判定部１０４が出力する信号に応じて緊急警報の検出信号を出力する検出信号出力部１０５と、検出信号出力部１０５の出力に応じて、ＴＳ処理部１０２で処理するＴＳパケットのヘッダ情報などの一部を変更するＴＳデータ書換部１０６と、ＴＳ処理部１０２で処理したトランスポートストリームをＩＰパケット化し、ＩＰ網１２０へ再送信する通信部１０３と、を有する。
【００３６】
受信部１０１はアンテナ等を備えており、空気中を伝播する放送波を受信することができ、または、所定の伝送網もしくは通信網に接続し、伝送網もしくは通信網中を伝送されるデジタル放送波を受信することもできる。また、受信部１０１は、再送信を行う通信手段であるＩＰ網（再送信用ＩＰ網）の帯域幅と同等もしくはさらに広い帯域幅を有するＩＰ網（受信用ＩＰ網）からデジタル放送信号を受信することができる。その場合、再送信装置は、受信したデジタル放送信号を再送信用ＩＰ網へ再送信する。
【００３７】
一方、受信装置１１０は、ＩＰパケット化されたデジタル放送信号をＩＰ網から受信すると共に、ＩＰパケットからデジタル放送信号を取り出す通信部１１１と、取り出されたデジタル放送信号のトランスポートストリームを処理する信号処理部１１２と、信号処理部１１２で処理するＴＳパケットのヘッダ情報などの一部が緊急警報放送起動用フラグのオン／オフに応じて変更されているかどうかを判定するＴＳデータ判定部１１４と、ＴＳデータ判定部１１４での判定結果にしたがって緊急警報放送受信のための処理を行う緊急警報処理部１１５と、信号処理部１１２で処理したトランスポートストリームを図示しない表示部等へ出力する信号出力部１１３と、を有する。
【００３８】
なお、本実施の形態の再送信装置１００において、受信部１０１は本発明の受信手段を構成する。同様に、起動フラグ判定部１０４および検出信号出力部１０５は検出信号出力手段を構成し、ＴＳ処理部１０２およびＴＳデータ書換部１０６は情報変更手段を構成し、通信部１０３は送信手段を構成する。また受信装置１１０において、通信部１１１は本発明の受信手段を構成し、ＴＳデータ判定部１１４は判別手段を構成し、信号処理部１１２および緊急放送処理部１１５は処理手段を構成する。
【００３９】
以下、まず本実施の形態における再送信装置の動作について説明する。概説すれば、再送信装置１００は、デジタル放送信号のＴＭＣＣ情報を復号し、ＴＭＣＣ情報内の緊急警報放送起動用フラグのオン／オフ（１か０）を判別し、緊急警報放送起動用フラグが１の場合、デジタル放送をＩＰ網へ再送信する際に、ＴＳパケットの同期バイトの値（0x47）を（0xC7）に変更する。
【００４０】
再送信装置１００の動作について図を参照して詳述する。図２は、再送信装置１００が緊急警報放送起動用フラグを判別し、ＴＳパケットの同期バイトの値を変更して再送信する際の同期バイト値の変更に関するフローチャートである。
【００４１】
受信部１０１は、デジタル放送波を受信し、受信したデジタル放送波を復調してデジタル放送信号を取り出し、デジタル放送信号からＴＭＣＣ情報を復号する。起動フラグ判定部１０４では、ＴＭＣＣ情報中の緊急警報放送起動用フラグをチェックし、そのフラグ値が１（ＯＮ）かどうかを判定する。１の場合にはそれを示す信号を検出信号出力部１０５に出力する。検出信号出力部１０５では、起動フラグ判定部１０４からの出力信号に基づき、緊急警報放送が行われていることを示す検出信号をＴＳデータ書換部１０６に出力する（ステップＳ２０１）。
【００４２】
ＴＳデータ書換部１０６ではＴＳ処理部１０２に指示し、検出信号出力部１０５からの検出信号に基づき、デジタル放送を再送信する際のＴＳパケットの同期バイトを書き換える処理を行う。具体的には、８ｂｉｔの同期バイト値0x47の最上位ビットを１にセットした値0xC7に書き換える（ステップＳ２０２）。
【００４３】
以上の処理により、緊急警報放送起動用フラグが１になった場合に、再送信装置１００はデジタル放送波を再送信するＴＳパケットの同期バイト値を変更する。
【００４４】
次に、受信装置１１０の動作について図面を参照して詳述する。図３は、受信装置１１０がＩＰ網１２０からデジタル放送信号を受信し、受信したデジタル放送信号の同期バイト値から緊急警報放送が行われているか否かを判別し、緊急警報放送受信の処理を行う際のフローチャートである。
【００４５】
通信部１１１は、再送信されるデジタル放送信号をＩＰ網１２０から受信する（ステップＳ３０１）。ＴＳデータ判定部１１４では、通信部１１１で受信し、信号処理部１１２で処理しているＴＳパケットの同期バイトを検出判定する。デジタル放送信号の緊急警報放送起動用フラグが０（オフ）の場合、同期バイト値は0x47である。緊急警報放送起動用フラグが１（オン）の場合、同期バイト値は0xC7であるので、８ｂｉｔの同期バイトの上位１ｂｉｔの監視で緊急警報放送起動用フラグのオン／オフを判定し、デジタル放送信号に含まれる緊急警報放送起動用フラグがオンの場合には、検出信号を緊急警報処理部１１５に出力する（ステップＳ３０２）。
【００４６】
緊急警報処理部１１５では、地上デジタル放送の運用で定められている緊急警報放送起動用フラグが１になった場合の処理を行う。例えば、信号処理部１１２で処理されたデジタル放送信号の中からＰＭＴを抽出し、ＰＭＴ中から緊急情報記述子の有無を判定するとともに、緊急情報記述子が存在した場合には、緊急情報記述子中のstart_end_flagの値をチェックする。フラグの値が１の場合には受信中の地上デジタル放送において緊急警報放送が運用されていると判断し、緊急警報放送を受信するなどの処理を行う（ステップＳ３０３）。
【００４７】
以上の処理により、受信装置１１０は、受信したＴＳパケットの同期バイト値を判別することによって緊急警報放送起動用フラグのオン／オフを検出することができる。
以上説明したデジタル放送再送信システムにより、地上デジタル放送で緊急警報放送が行われているかどうかを容易に判定できる。従って、ＩＰ網へデジタル放送信号を再送信する場合に、地上デジタル放送で運用されている緊急警報放送システムと同等のシステムを実現することができる。
【００４８】
（実施の形態２）
本実施の形態における再送信装置は、実施の形態１のデジタル放送再送信装置と同様の構成を備え、さらにデジタル放送信号に含まれるＰＭＴの緒元をチェックするＰＭＴ処理部４００を備えている。
【００４９】
図４は本実施の形態における再送信装置の構成を示すブロック図である。図中、実施の形態１の再送信装置と同一の機能を有する部分には同一の符号を付して説明を省略し、新たに追加した機能およびその効果について説明する。
【００５０】
概説すると、再送信装置４００において、デジタル放送信号のＰＭＴを抽出し、ＰＭＴ中の緒元の確認結果とＴＭＣＣの緊急警報放送起動用フラグの両方でＴＳパケットのヘッダ情報などの一部を書き換え制御する検出信号を出力する。なお、後述するＰＭＴ処理部４０１は、本発明のＰＭＴ判別手段を構成している。受信装置の構成は実施の形態１の受信装置１１０と変わらないため、図では省略している。
【００５１】
以下、本実施の形態における再送信装置の動作について、図５を用いて詳説する。図５は再送信装置におけるＴＳパケットの同期バイト書き換えに関するフローチャートである。
【００５２】
受信部１０１は受信したデジタル放送波からデジタル放送信号を復調し、復調したデジタル放送信号からＴＭＣＣ情報を復号する。起動フラグ判定部１０４では、ＴＭＣＣ情報中の緊急警報放送起動用フラグの値をチェックし、その値が１（オン）かどうかを判定する。１の場合にはそれを示す信号を検出信号出力部１０５に出力する（ステップＳ５０１）。
【００５３】
ＰＭＴ処理部４０１は、デジタル放送信号からＰＭＴを抽出し、ＰＭＴ中に記載される緊急情報記述子をチェックする（ステップＳ５０２）。緊急情報記述子中のstart_end_flagが１の場合に、緊急警報放送が運用されていることを示す信号を検出信号出力部１０５に出力する（ステップＴ５０３）。
【００５４】
検出信号出力部１０５では、起動フラグ判定部１０４およびＰＭＴ処理部４０１からの出力信号に基づき、緊急警報放送が行われていることを示す検出信号をＴＳデータ書換部１０６に出力する（ステップＳ５０３でＹＥＳ）。
【００５５】
ＴＳデータ書換部１０６では、検出信号出力部１０５からの検出信号に基づいてＴＳ処理部１０２に指示し、デジタル放送を再送信する際のＴＳパケットの同期バイトを書き換える処理を行う。具体的には、８ｂｉｔの同期バイト値0x47の最上位ビットを１にセットした値0xC7に書き換える（ステップＳ５０４）。
【００５６】
これにより再送信装置１００としては、緊急警報放送起動用フラグが１になった場合ではなく、ＰＭＴの緒元をチェックすることで、地上デジタル放送において実際に緊急警報放送が運用されている場合にのみ、ＴＳパケットの同期バイトの書き換えを行う。
【００５７】
再送信装置４００から再送信されるデジタル放送信号を受信する受信装置１１０においては、同期バイト値判別およびＰＭＴの緒元チェックの両方で緊急警報放送の有無を判定していた場合に比べ、同期バイト値の判別のみで緊急警報放送の運用の有無が判別できるようになり、より簡易な構成で受信装置が実現できる。
【００５８】
また、緊急警報放送の運用の有無が、ＰＭＴなどの中身を解析しなくても判別できるため、電源スタンバイ時などでも、通信部１１１のみ最小限の電力で動作させておけば、電源オン時と同様に緊急警報放送の有無を判別することができ、省電力な緊急警報放送システム対応の受信装置を実現できる。
【００５９】
なお、上記実施の形態１、２では、ＴＳパケットの同期バイト値を変更することにより緊急警報放送起動用フラグの値を判定するようにしているが、ＴＳパケットには、図６に示すＴＳパケットのパケットＩＤや、図７に示すアダプテーションフィールドが含まれている。前述した同期バイトの変更と同様に、パケットＩＤを記述するＰＩＤ６０１の値を変更したり、アダプテーションフィールドのフィールドレングスであるadaptation_field_length７０１の値を変更することにより、緊急警報放送の有無を判定できるようにしても良い。８ｂｉｔのadaptation_field_lengthの値を変更する場合には、ＴＳパケットのサイズが１８８バイトであるため、adaptation_field_lengthは最大１８５になる。したがって上位２ｂｉｔの判定により緊急警報放送起動用フラグのオン／オフが判定できる。
【００６０】
このように、ＴＳパケットの一部のデータを書き換えることにより、同期バイト変更の場合と同様に緊急警報放送用フラグの値を判定することができる。
【００６１】
また、上記実施の形態１、２において、地上デジタル放送を再送信する場合の例を示したが、本発明は、ＢＳデジタル放送やＣＳデジタル放送等の他のデジタル放送を再送信する場合にも適用可能であり、更に、ＣＡＴＶ網等により伝送される放送波を再送信する場合にも適用可能なことは云うまでもない。
【００６２】
また、上記各実施の形態における再送信装置や受信装置の一部もしくは全部の機能をコンピュータのプログラムで構成し、そのプログラムを、コンピュータを用いて実行して本発明を実現することができること、あるいは、各処理フローで示した処理手順をコンピュータのプログラムで構成し、そのプログラムをコンピュータに実行させることができることは云うまでもない。
【産業上の利用可能性】
【００６３】
本発明によれば、地上デジタル放送などのデジタル放送を、ＩＰ網を使って再送信する場合に、デジタル放送で運用されている緊急警報システムと同等のシステムを簡易に実現できるため、デジタル放送の再送信システムとして有用である。
【図面の簡単な説明】
【００６４】
【図１】本発明の実施の形態１におけるデジタル放送再送信システムの構成を示すブロック図
【図２】同実施の形態１の再送信装置におけるＴＳパケットの同期バイト値書き換えに関するフローチャート
【図３】同実施の形態１の受信装置における緊急警報放送受信時の処理に関するフローチャート
【図４】本発明の実施の形態２における再送信装置の構成を示すブロック図
【図５】同実施の形態２におけるＴＳパケットの同期バイト値書き換えに関するフローチャート
【図６】ＴＳパケットの構成を示す図
【図７】アダプテーションフィールドの構成を示す図
【図８】従来技術におけるＴＳパケットの構成図
【図９】従来技術におけるフレームの構成図
【図１０】従来技術におけるスーパーフレームの構成図
【図１１】従来技術における複数ＴＳ伝送方式の多重フレームヘッダの構成図
【図１２】従来技術におけるフレームヘッダの構成を示す図
【符号の説明】
【００６５】
１００、４００  再送信装置
１０１  受信部
１０２  ＴＳ処理部
１０３  通信部
１０４  起動フラグ判定部
１０５  検出信号出力部
１０６  ＴＳデータ書換部
１１０  受信装置
１１１  通信部
１１２  信号処理部
１１３  信号出力部
１１４  ＴＳデータ判定部
１１５  緊急警報処理部
１２０  ＩＰ網
４０１  ＰＭＴ処理部
【図１】
2007267104.tif 000003
【図２】
2007267104.tif 000004
【図３】
2007267104.tif 000005
【図４】
2007267104.tif 000006
【図５】
2007267104.tif 000007
【図６】
2007267104.tif 000008
【図７】
2007267104.tif 000009
【図８】
2007267104.tif 000010
【図９】
2007267104.tif 000011
【図１０】
2007267104.tif 000012
【図１１】
2007267104.tif 000013
【図１２】
2007267104.tif 000014